(57)【特許請求の範囲】
【請求項１】
鍵盤シャーシと、この鍵盤シャーシ上に上下方向に回転可能に設けられた鍵と、前記鍵盤シャーシ上に設けられ、押鍵操作時に前記鍵のスイッチ押圧部によって押圧されて発音信号を出力するスイッチ部材とを備えた鍵盤装置において、
前記スイッチ部材は、前記鍵盤シャーシ上に設けられたスイッチ基板と、このスイッチ基板上に設けられた弾性シートに前記鍵の前記スイッチ押圧部によって押圧されて弾性変形する膨出部が形成されたスイッチ部とを備え、
このスイッチ部の前記弾性シートには、上下方向に弾性変形する弾性片が前記スイッチ基板から前記鍵の前後方向に沿って延出されており、前記鍵には、その押鍵操作時に前記弾性片を弾性変形させる弾性片押圧部が設けられ、
前記弾性片押圧部は、その下端部が前記スイッチ基板から延出された前記弾性片の先端部に対応して形成され、
前記弾性片の前記先端部には、前記弾性片押圧部の前記下端部に対応する弾性突起が形成されていることを特徴とする鍵盤装置。
【請求項２】
前記弾性片押圧部は、前記鍵の前記スイッチ押圧部によって前記弾性シートの前記膨出部が押圧されて前記スイッチ部が前記発音信号を出力する際に、前記弾性片を弾性変形させて前記弾性片から離脱することを特徴とする請求項１に記載の鍵盤装置。
【請求項３】
前記弾性片押圧部の前記下端部には、前記弾性片の前記先端部の前記弾性突起を押し下げる当接突起が形成されていると共に、この当接突起には、前記弾性片の先端側に向けて傾斜する当接傾斜面が形成され、前記当接突起よりも上側に位置する前記弾性片押圧部の部分が、前記弾性片の前記先端部から離れる凹形状に形成されていることを特徴とする請求項１または２に記載の鍵盤装置。
【請求項４】
前記弾性片の前記弾性突起には、前記弾性片の先端側に向けて傾斜して前記当接突起の前記当接傾斜面に対応する弾性傾斜面が形成されていることを特徴とする請求項３に記載の鍵盤装置。
【請求項５】
前記弾性片押圧部の下端部よりも上側に位置する前記弾性片押圧部の部分が、前記弾性片の前記先端部から前記弾性片と反対側に向けて離れる形状に形成されていることを特徴とする請求項１から請求項４のいずれかに記載の鍵盤装置。
【請求項６】
前記鍵盤シャーシには、前記スイッチ基板から前記鍵の前後方向に沿って延出された前記弾性片の下面における一部を下側から支持する支点部が設けられていることを特徴とする請求項１から請求項５のいずれかに記載の鍵盤装置。
【発明の詳細な説明】
【技術分野】
【０００１】
この発明は、電子ピアノや電子オルガンなどの電子鍵盤楽器の鍵盤装置に関する。
【背景技術】
【０００２】
従来、電子鍵盤楽器においては、特許文献１に記載されているように、アコースティックピアノの鍵タッチ感に近似した鍵タッチ感を得るために、押鍵操作時に鍵荷重を急激に軽くして、鍵荷重が抜ける感覚のレットオフ効果を付与するクリック感付与部材を備えた構成のものが知られている。
【先行技術文献】
【特許文献】
【０００３】
【特許文献１】特開平０６−３１８０７７号公報
【０００４】
この種の電子鍵盤楽器は、鍵の押鍵操作に応じて上下方向に回転して鍵にアクション荷重を付与するハンマー部材を備え、このハンマー部材が回転する際に、クリック感付与部材がハンマー部材に対して鍵荷重を重くした後に、鍵荷重を急激に軽くして、鍵荷重が抜けるような感覚のクリック感を付与することにより、鍵にレットオフ効果を付与するように構成されている。
【０００５】
この場合、クリック感付与部材は、鍵が押鍵されてハンマー部材が回転する際にハンマー部材が当接するローラと、このローラを回転自在に支持してハンマー部材に対する接離方向に弾性変形する板ばねとを備え、鍵が押鍵されてハンマー部材が回転する際に、ハンマー部材がローラに当接して鍵荷重を重くし、ハンマー部材が板ばねのばね力に抗してローラを乗り越えたときに、鍵荷重を急激に軽くして、鍵荷重が抜ける感覚のクリック感を鍵に付与するように構成されている。
【発明の概要】
【発明が解決しようとする課題】
【０００６】
しかしながら、このような従来の電子鍵盤楽器では、押鍵操作によって発音信号を出力するスイッチ部と、鍵にクリック感を付与するクリック感付与部材とが、別々に構成され、それぞれ異なる位置に設けられているので、部品の製作精度や組立て精度にバラつきがあると、クリック感付与部材がクリック感を付与するタイミングと、スイッチ部が発音信号を出力するタイミングとがずれてしまい、演奏者に違和感が生じ、良好に演奏することができないという問題がある。
【０００７】
また、この電子鍵盤楽器では、クリック感付与部材が、押鍵操作時にハンマー部材の当接するローラと、このローラを回転自在に支持してハンマー部材に対する接離方向に弾性変形する板ばねとを備えた構成であるから、構造が複雑で、部品点数が多く、組み立て作業が複雑で面倒であるばかりか、コストが高くなるという問題がある。
【０００８】
この発明が解決しようとする課題は、簡単な構造で、部品の共通化を図り、組立て作業性が良く、発音を開始するタイミングとクリック感を付与するタイミングとを合わせ易くして、演奏者が違和感なく良好に演奏することができる鍵盤装置を提供することである。
【課題を解決するための手段】
【０００９】
この発明は、上記課題を解決するために、次のような構成要素を備えている。
請求項１に記載の発明は、鍵盤シャーシと、この鍵盤シャーシ上に上下方向に回転可能に設けられた鍵と、前記鍵盤シャーシ上に設けられ、押鍵操作時に前記鍵のスイッチ押圧部によって押圧されて発音信号を出力するスイッチ部材とを備えた鍵盤装置において、前記スイッチ部材は、前記鍵盤シャーシ上に設けられたスイッチ基板と、このスイッチ基板上に設けられた弾性シートに前記鍵の前記スイッチ押圧部によって押圧されて弾性変形する膨出部が形成されたスイッチ部とを備え、このスイッチ部の前記弾性シートには、上下方向に弾性変形する弾性片が前記スイッチ基板から前記鍵の前後方向に沿って延出されており、前記鍵には、その押鍵操作時に前記弾性片を弾性変形させる弾性片押圧部が設けられ、前記弾性片押圧部は、その下端部が前記スイッチ基板から延出された前記弾性片の先端部に対応して形成され、前記弾性片の前記先端部には、前記弾性片押圧部の前記下端部に対応する弾性突起が形成されていることを特徴とする鍵盤装置である。
【００１０】
請求項２に記載の発明は、前記弾性片押圧部が、前記鍵の前記スイッチ押圧部によって前記弾性シートの前記膨出部が押圧されて前記スイッチ部が前記発音信号を出力する際に、前記弾性片を弾性変形させて前記弾性片から離脱することを特徴とする請求項１に記載の鍵盤装置である。
【００１１】
請求項３に記載の発明は、前記弾性片押圧部の前記下端部に、前記弾性片の前記先端部の前記弾性突起を押し下げる当接突起が形成されていると共に、この当接突起に、前記弾性片の先端側に向けて傾斜する当接傾斜面が形成され、前記当接突起よりも上側に位置する前記弾性片押圧部の部分が、前記弾性片の前記先端部から離れる凹形状に形成されていることを特徴とする請求項１または請求項２に記載の鍵盤装置である。
【００１２】
請求項４に記載の発明は、前記弾性片の前記弾性突起に、前記弾性片の先端側に向けて傾斜して前記当接突起の前記当接傾斜面に対応する弾性傾斜面が形成されていることを特徴とする請求項３に記載の鍵盤装置である。
【００１３】
請求項５に記載の発明は、前記弾性片押圧部の下端部よりも上側に位置する前記弾性片押圧部の部分が、前記弾性片の前記先端部から前記弾性片と反対側に向けて離れる形状に形成されていることを特徴とする請求項１から請求項４のいずれかに記載の鍵盤装置である。
【００１４】
請求項６に記載の発明は、前記鍵盤シャーシに、前記スイッチ基板から前記鍵の前後方向に沿って延出された前記弾性片の下面における一部を下側から支持する支点部が設けられていることを特徴とする請求項１から請求項５のいずれかに記載の鍵盤装置である。
【発明の効果】
【００１５】
この発明によれば、鍵が押鍵されて、鍵のスイッチ押圧部によってスイッチ部材が押圧されて発音信号を出力する際に、スイッチ基板から延出された弾性シートの弾性片を、鍵の弾性片押圧部が押圧して弾性変形させることにより、鍵荷重を重くし、この後、弾性変形した弾性片を弾性片押圧部が乗り越えて弾性片から離脱することにより、鍵荷重を急激に軽くして、鍵荷重が抜ける感覚のクリック感を鍵に付与することができる。
【００１６】
このため、発音信号を出力するスイッチ部の弾性シートに設けられた弾性片を、鍵に設けられた弾性片押圧部が押圧するだけの構成であるから、構造が簡単で、発音信号を出力するためのスイッチ部の弾性シートに設けられた膨出部、およびクリック感を付与するためのスイッチ部の弾性シートに設けられた弾性片などの部品の共通化を図ることができ、これにより部品点数の増加を抑えて組立て作業性の向上を図ることができると共に、低コスト化をも図ることができるほか、クリック感を付与するタイミングと発音信号を出力するタイミングとを合わせ易くすることができ、これにより演奏者が違和感なく良好に演奏できる。
【図面の簡単な説明】
【００１７】
【図１】この発明を電子鍵盤楽器に適用した一実施形態において、鍵が押鍵されていない初期状態を示した断面図である。
【図２】図１に示された電子鍵盤楽器において、鍵の弾性片押圧部がスイッチ部の弾性片の上側に位置している状態を示した要部の拡大断面図である。
【図３】図１に示された電子鍵盤楽器において、鍵が押されてスイッチ部におけるドーム状の膨出部および弾性片がそれぞれ弾性変形した状態を示した断面図である。
【図４】図３に示された電子鍵盤楽器において、鍵の弾性片押圧部がスイッチ部の弾性片を押し下げた状態を示した要部の拡大断面図である。
【図５】図３に示された電子鍵盤楽器において、鍵が更に押されて弾性片押圧部がスイッチ部の弾性片を乗り越えて鍵にクリック感を付与した状態を示した断面図である。
【図６】図５に示された電子鍵盤楽器において、鍵の弾性片押圧部がスイッチ部の弾性片を乗り越えて鍵にクリック感を付与した際に、弾性片が元の位置に弾性復帰した状態を示した要部の拡大断面図である。
【図７】図５に示された電子鍵盤楽器において、鍵が初期位置に戻る途中の状態を示した断面図である。
【図８】図７に示された電子鍵盤楽器において、鍵の弾性片押圧部がスイッチ部の弾性片を下側から上側に向けてすり抜ける状態を示した要部の拡大断面図である。
【図９】図１〜図８に示された電子鍵盤楽器の押鍵操作時における鍵荷重と鍵ストロークとの特性を示した図である。
【発明を実施するための形態】
【００１８】
以下、図１〜図９を参照して、この発明を電子鍵盤楽器に適用した一実施形態について説明する。
この電子鍵盤楽器は、図１に示すように、楽器ケースの下部ケースを兼ねる鍵盤シャーシ１を備えている。この鍵盤シャーシ１の上部には、複数の鍵２が音階順に並列に配列された状態で、上下方向に回転可能に取り付けられている。
【００１９】
この複数の鍵２は、図示しないが、白鍵と黒鍵とからなっている。ただし、この実施形態では白鍵のみを示す。これらの鍵２の各後端部（図１では左端部）には、図１に示すように、回転支点である肉厚の薄い屈曲部３がそれぞれ設けられている。この屈曲部３は、鍵２の配列方向に沿って連続する共通連結部４に連結されている。この共通連結部４は、図１に示すように、鍵盤シャーシ１の後端上部（図１では左端上部）に設けられた鍵支持部５上にビス５ａによって取り付けられている。
【００２０】
すなわち、共通連結部４は、図１に示すように、白鍵用の共通連結部４と黒鍵用の共通連結部４とを有し、これらが上下に重ね合わされた状態で、鍵支持部５上にビス５ａによって取り付けられている。これにより、鍵２は、図３および図５に示すように、押鍵操作されると、回転支点である屈曲部３が上下方向に弾性変形することにより、この屈曲部３を中心に上下方向に回転するように構成されている。
【００２１】
また、この鍵２の前側内部（図１では右側内部）には、図１に示すように、鍵盤シャーシ１の鍵ガイド部６が挿入されている。これにより、鍵２は、押鍵操作された際に、鍵ガイド部６が鍵２内を相対的に上下方向に摺動することにより、横振れしないように構成されている。さらに、この鍵２は、図１に示すように、そのほぼ中間部に鍵２の上下位置を規制するための位置規制部７が下側に突出して設けられている。この位置規制部７は、その下部後端に突起部７ａが設けられ、この突起部７ａが鍵盤シャーシ１の立上り部８に設けられた開口部８ａ内に挿入した状態で、上下方向に移動するように構成されている。
【００２２】
これにより、位置規制部７は、図５に示すように、鍵２が押し下げられた際に、位置規制部７の下端が鍵盤シャーシ１の立上り部８における開口部８ａの下部に設けられた下限ストッパ９に当接することにより、鍵２の下限位置を規制するように構成されている。また、この位置規制部７は、図１に示すように、押鍵された鍵２が初期位置に復帰する際に、位置規制部７の突起部７ａが鍵盤シャーシ１の立上り部８における開口部８ａの上部に設けられた上限ストッパ１０に当接することにより、鍵２の上限位置を規制するように構成されている。
【００２３】
一方、鍵盤シャーシ１の前後方向（図１では左右方向）におけるほぼ中間に位置する上部には、図１および図２に示すように、スイッチ部材１１が複数の鍵２の下側に位置した状態で設けられている。このスイッチ部材１１は、鍵盤シャーシ１上に取り付けられたスイッチ基板１２と、このスイッチ基板１２上に設けられて鍵２のスイッチ押圧部１３によって押圧されるスイッチ部１４とを備えている。
【００２４】
スイッチ基板１２は、図１および図２に示すように、鍵２の配列方向に沿って連続する帯板状に形成されている。このスイッチ基板１２は、鍵盤シャーシ１における後端部の鍵支持部５と中間部の立上り部８との間にそれぞれ起立して設けられた基板支持部１５によって、鍵盤シャーシ１上に取り付けられている。また、スイッチ部１４は、図１および図２に示すように、スイッチ基板１２上に配置されたゴムシート１６を備えている。このゴムシート１６は、シリコーンゴムなどの弾力性を有するエラストマからなり、鍵２の配列方向に沿って連続する細長い帯状に形成されている。
【００２５】
この場合、ゴムシート１６には、図１および図２に示すように、ドーム形状の膨出部１７が、複数の鍵２の各スイッチ押圧部１３にそれぞれ対応した状態で、等間隔に形成されている。このドーム形状の膨出部１７は、図１および図２に示すように、その反発力（弾性力）によって鍵２のスイッチ押圧部１３を押し上げると共に、その反発力に抗して鍵２のスイッチ押圧部１３で押圧されると、図３〜図６に示すように、弾性変形するように構成されている。
【００２６】
この場合、ドーム形状の膨出部１７内には、図示しないが、スイッチ基板１２の上面に設けられた一対の固定接点に接離可能に接触する一対の可動接点が設けられている。これにより、スイッチ部１４は、図５および図６に示すように、鍵２のスイッチ押圧部１３によってドーム形状の膨出部１７が押圧されて弾性変形すると、膨出部１７内の一対の可動接点がスイッチ基板１２の一対の固定接点に順次接触して、発音信号を出力するように構成されている。
【００２７】
ところで、このスイッチ部１４のゴムシート１６には、図１および図２に示すように、上下方向に弾性変形する弾性片１８が、各鍵２にそれぞれ対応した状態で、スイッチ基板１２から鍵２の前側（図１では右側）に向けてそれぞれ延出されている。この弾性片１８は、各鍵２にそれぞれ設けられた弾性片押圧部２０によって押圧された際に、下側に撓むように弾性変形して、鍵２に負荷を付与するように構成されている。
【００２８】
この場合、鍵２の弾性片押圧部２０は、図１および図２に示すように、スイッチ押圧部１３の前側（図１では右側）に位置する箇所に、スイッチ押圧部１３と一体に形成されている。この弾性片押圧部２０は、スイッチ押圧部１３の下面よりも下側に突出し、この突出した下端部が弾性片１８の前側（図１では右側）に位置する先端部に対応するように構成されている。
【００２９】
すなわち、この弾性片押圧部２０は、図３〜図６に示すように、鍵２のスイッチ押圧部１３によってスイッチ部１４の膨出部１４が押圧されてスイッチ部１４が発音信号を出力する際に、弾性片１８を弾性変形させて弾性片１８から離脱するように、スイッチ押圧部１３の下面よりも下側に予め定められた長さで突出して形成されている。また、この弾性片押圧部２０は、図２に示すように、その下端部が弾性片１８の前側に位置する先端部に対応した状態で、その下端部の上部側が弾性片１８の先端部から鍵２の前側に向けて離れる形状に形成されている。
【００３０】
この場合、弾性片押圧部２０の下端部には、図１および図２に示すように、弾性片１８の先端部に当接する断面逆三角形状の当接突起２１が形成されている。この当接突起２１には、弾性片１８の先端側に向けて上側から下側に傾斜する当接傾斜面２１ａが形成されている。また、この弾性片押圧部２０は、その断面逆三角形の当接突起２１よりも上部側に位置する部分に、弾性片１８の先端部から離れる方向、つまり鍵２の前側（図２では右側）に向けて離れる凹形状の円弧状に湾曲する湾曲部２０ａが形成されている。
【００３１】
すなわち、この湾曲部２０ａは、図１に示すように、鍵２の回転支点である屈曲部３を中心とする円弧に沿って形成されている。これにより、湾曲部２０ａは、図５および図６に示すように、鍵２の弾性片押圧部２１が弾性片１８の先端部を押圧して乗り越えた後に、弾性片１８が元の状態に弾性復帰する際に、弾性片１８の先端部が接触せずに、弾性片１８の弾性突起１９を上方に復帰させるように構成されている。
【００３２】
これにより、弾性片押圧部２０は、図３および図４に示すように、鍵２が押鍵操作されてスイッチ押圧部１３がスイッチ部１４の膨出部１７を押圧した際に、当接突起２１が弾性片１８の先端部を押圧して弾性片１８を弾性変形させることにより、鍵荷重が重くなるように構成されている。
【００３３】
また、この弾性片押圧部２０は、図５および図６に示すように、当接突起２１が弾性片１８を弾性変形させて、弾性片１８の先端部を乗り越えたときに、弾性片１８の先端部から離脱して、鍵荷重を急激に軽くすることにより、鍵荷重が抜ける感覚のクリック感を鍵２に付与するように構成されている。
【００３４】
さらに、この弾性片押圧部２０は、図５および図６に示すように、当接突起２１が弾性片１８の先端部を乗り越えて、弾性片１８が弾性復帰する際に、弾性片１８の先端部が、湾曲部２０ａに接触することなく、湾曲部２０ａに沿って元の状態に復帰するように構成されている。
【００３５】
一方、弾性片１８は、図２に示すように、その先端部に断面三角形状の弾性突起１９が形成されている。この断面三角形状の弾性突起１９は、弾性片押圧部２０の当接突起２１に対応し、その先端側（図２では右側）に位置する面が、鍵２の前側に向けて上側から下側に傾斜する弾性傾斜面１９ａに形成されている。この弾性傾斜面１９ａは、弾性片押圧部２０における当接突起２１の当接傾斜面２１ａに対応するように形成されている。
【００３６】
これにより、弾性片１８は、図１および図２に示すように、鍵２が押鍵されていない初期状態のときに、鍵２の弾性片押圧部２０の当接突起２１における当接傾斜面２１ａの下端部が、弾性片１８の弾性突起１９における弾性傾斜面１９ａの上端部に対応して当接するように構成されている。
【００３７】
また、この弾性片１８は、図３および図４に示すように、鍵２が押鍵操作されてスイッチ押圧部１３がスイッチ部１４の膨出部１７を押圧して弾性変形させる際に、鍵２の弾性片押圧部２０における当接突起２１の当接傾斜面２１ａが弾性突起１９の弾性傾斜面１９ａに当接して、弾性片押圧部２１の当接傾斜面２１ａが弾性突起１９の弾性傾斜面１９ａを押し下げながら、弾性片押圧部２１の当接傾斜面２１ａが弾性突起１９の弾性傾斜面１９ａに沿って摺動することにより、弾性片１８が下側に向けて弾性変形して、鍵２に負荷を与えるように構成されている。
【００３８】
また、この弾性片１８は、図５および図６に示すように、鍵２の弾性片押圧部２０における当接突起２１の当接傾斜面２１ａが弾性突起１９の弾性傾斜面１９ａを押し下げながら摺動して乗り越えた際に、弾性片１８が弾性復帰して、弾性片１８の弾性突起１９が初期位置に戻るように構成されている。
【００３９】
すなわち、この弾性片１８は、図７および図８に示すように、鍵２の弾性片押圧部２０における当接突起２１が弾性片１８の弾性突起１９を押し下げて乗り越えた後に、鍵２が初期位置に復帰する際に、弾性片１８の弾性突起１９が鍵２の弾性片押圧部２０における当接突起２１および湾曲部２０ａにほとんど接触せずにすり抜けて、鍵２の弾性片押圧部２０における当接突起２１が弾性片１８の弾性突起１９上に移動して、鍵２を初期位置に戻すように構成されている。
【００４０】
この場合、鍵盤シャーシ１には、図１〜図８に示すように、スイッチ部材１１のスイッチ基板１２から鍵２の前側（図１では右側）に向けて延出された弾性片１８の下面におけるほぼ中間部を下側から支持する支点部２２が設けられている。この支点部２２は、鍵盤シャーシ１上におけるスイッチ基板１２から鍵２の前側（図１では右側）に位置する箇所に設けられている。
【００４１】
これにより、支点部２２は、図３および図４に示すように、鍵２が押鍵操作されて弾性片押圧部２０の当接突起２１がスイッチ部１４の弾性片１８の弾性突起１９を押圧する際に、支点部２２を中心に弾性片１８を弾性変形させることにより、弾性片１８による反発力を高めて鍵２に対する負荷を増大させると共に、図５および図６に示すように、弾性片１８の復帰力を高めて速やかに元の状態に弾性復帰させるように構成されている。
【００４２】
また、この支点部２２は、図７および図８に示すように、押鍵された鍵２が初期位置に戻る際に、弾性片１８の支点として機能しないように構成されている。すなわち、弾性片１８は、押鍵された鍵２が初期位置に戻る際に、図８に示すように、支点が支点部２２から、弾性片１８におけるスイッチ基板１２の端部に位置する復帰支点２３に切り替わるように構成されている。これにより、弾性片１８は、弾性突起１９から復帰支点２３までの距離が長くなることにより、上側への弾性変形がし易くなるように構成されている。
【００４３】
次に、この鍵盤装置の作用について説明する。
鍵２が押鍵されていない初期状態では、図１および図２に示すように、鍵２の後端部に設けられた屈曲部３の弾性復帰力によって鍵２が上方に押し上げられていると共に、鍵２のスイッチ押圧部１３がスイッチ部材１１のスイッチ部１４におけるドーム状の膨出部１７の反発力（弾性力）によって押し上げられている。
【００４４】
これにより、鍵２は、図１および図２に示すように、鍵２の位置規制部７の突起部７ａが鍵盤シャーシ１の立上り部８における開口部８ａの上部に設けられた上限ストッパ１０に当接し、鍵２が上限位置に規制されている。この状態では、鍵２にこれを押し上げるように負荷が加わっている。また、この状態では、図２に示すように、鍵２の弾性片押圧部２０の当接突起２１における当接傾斜面２１ａの下端部が、弾性片１８の弾性突起１９における弾性傾斜面１９ａの上端部に対応している。
【００４５】
この状態で、鍵２が押鍵されると、まず、鍵２が回転支点である屈曲部３を中心に図１において時計回りに回転し、鍵２のスイッチ押圧部１３がスイッチ部１４のドーム形状の膨出部１７を押圧して弾性変形させる。このときには、屈曲部３の弾性変形と、スイッチ部１４の膨出部１７の弾性変形とに伴って、図９の曲線部Ａに示すように、鍵荷重が徐々に重くなる。そして、鍵２が更に押し下げられて鍵２のスイッチ押圧部１３がスイッチ部１４の膨出部１７を更に押圧すると、図３および図４に示すように、膨出部１７が急激に弾性変形するので、図９の曲線部Ｂに示すように、鍵荷重が少し軽くなる。
【００４６】
この後、鍵２が更に押し下げられると、図３および図４に示すように、鍵２の弾性片押圧部２０における当接突起２１の当接傾斜面２１ａが弾性突起１９の弾性傾斜面１９ａに当接して、当接突起２１の当接傾斜面２１ａが弾性突起１９の弾性傾斜面１９ａを押し下げながら、当接突起２１の当接傾斜面２１ａが弾性突起１９の弾性傾斜面１９ａに沿って摺動する。このときには、弾性片１８が鍵盤シャーシ１上の支点部２２を中心に弾性変形する。このため、図９の曲線部Ｃに示すように、鍵荷重が急激に重くなる。
【００４７】
そして、鍵２のスイッチ押圧部１３がスイッチ部１４の膨出部１７を更に押圧すると、図５および図６に示すように、膨出部１７内の可動接点がスイッチ基板１２の固定接点に接触する。これにより、スイッチ部１４が発音信号を出力し、楽音が発音される。このときには、図６に示すように、鍵２の弾性片押圧部２０における当接突起２１の当接傾斜面２１ａが、スイッチ部１４の弾性片１８における弾性突起１９の弾性傾斜面１９ａを押し下げながら摺動して乗り越える。すると、鍵２に対する弾性片１８の反発力による負荷がなくなるので、図９の曲線部Ｄに示すように、鍵荷重が急激に軽くなり、鍵２に鍵荷重が抜ける感覚のクリック感が付与される。
【００４８】
また、このときには、弾性片１８が弾性復帰し、この弾性片１８の弾性突起１９が、鍵２の弾性片押圧部２０における湾曲部２０ａに接触することなく、上側に移動して元の位置に戻る。この状態で、鍵２が更に押し下げられると、鍵２の位置規制部７の下端が鍵盤シャーシ１の立上り部８における開口部８ａの下部に設けられた下限ストッパ９に当接することにより、鍵２が下限位置に規制される。このため、図９の曲線部Ｅに示すように、鍵荷重が再び急激に重くなる。
【００４９】
一方、押鍵された鍵２が初期位置に復帰する際には、図７および図８に示すように、鍵２の後端部に設けられた屈曲部３の弾性復帰力によって鍵２が上方に押し上げられる。これにより、図９の曲線部Ｆに示すように、鍵荷重が急激に軽くなる。このときには、スイッチ部材１１のスイッチ部１４におけるドーム状の膨出部１７の反発力（弾性復帰力）によって押し上げられる前に、鍵２が屈曲部３の弾性復帰力によって上方に引き上げられる。
【００５０】
このため、図８に示すように、鍵２のスイッチ押圧部１３がスイッチ部１４の膨出部１７の上方に移動し、この鍵２のスイッチ押圧部１３とスイッチ部１４の膨出部１７との間に隙間が生じる。このように、鍵２が屈曲部３を中心に図７において反時計回りに回転する際には、図７および図８に示すように、鍵２の弾性片押圧部２０が上方に移動し、この弾性片押圧部２０の当接突起２１が弾性片１８の弾性突起１９にほとんど接触することなく、弾性片１８の弾性突起１９をすり抜けて上方に移動する。
【００５１】
このとき、弾性片押圧部２０の当接突起２１が弾性片１８の弾性突起１９に接触した場合には、弾性片１８の弾性突起１９が弾性片押圧部２０の当接突起２１によって引き上げられるが、弾性片１８はその支点が支点部２２から、スイッチ基板１２の端部に位置する復帰支点２３に切り替わる。このため、弾性片１８は、復帰支点２３を中心に上方に向けて容易に弾性変形する。これにより、弾性片押圧部２０の当接突起２１が弾性片１８の弾性突起１９をすり抜けて上方に移動する。このときには、図９の曲線部Ｇに示すように、鍵荷重が少し重くなる。
【００５２】
この後は、鍵２がその回転支点である屈曲部３の弾性復帰力によって鍵２が上方に押し上げられると共に、鍵２のスイッチ押圧部１３がスイッチ部材１１のスイッチ部１４におけるドーム状の膨出部１７の反発力（弾性復帰力）によって押し上げられる。このため、図９の曲線部Ｈに示すように、鍵荷重が徐々に軽くなり、図１および図２に示すように、鍵２が初期位置に戻る。
【００５３】
このように、この電子鍵盤楽器によれば、鍵盤シャーシ１上に設けられて押鍵操作時に鍵２のスイッチ押圧部１３によって押圧されて発音信号を出力するスイッチ部材１１が、スイッチ基板１２とスイッチ部１４とを備え、このスイッチ部１４のゴムシート１６に、鍵２のスイッチ押圧部１３によって押圧されて弾性変形するドーム状の膨出部１７と、スイッチ基板１２から鍵２の前側に向けて延出されて上下方向に弾性変形する弾性片１８とを設け、鍵２には、その押鍵操作時に弾性片１８を弾性変形させて離脱する弾性片押圧部２０を設けた構成であるから、簡単な構造で、部品の共通化を図ると共に、発音信号を出力するタイミングとクリック感を付与するタイミングとを合わせ易くすることができ、これにより演奏者が違和感なく良好に演奏できる。
【００５４】
すなわち、この電子鍵盤楽器では、鍵２が押鍵されて、鍵２のスイッチ押圧部１３によってスイッチ部１４が押圧されて発音信号を出力する際に、スイッチ部１４のスイッチ基板１２から延出されたゴムシート１６の弾性片１８を、鍵２の弾性片押圧部２０が押圧して弾性変形させることにより、鍵荷重を重くし、この後、弾性変形した弾性片１８を弾性片押圧部２０が乗り越えて弾性片１８から離脱することにより、鍵荷重を急激に軽くして、鍵荷重が抜ける感覚のクリック感を鍵２に付与することができる。
【００５５】
このため、発音信号を出力するスイッチ部１４のゴムシート１６に設けられた弾性片１８を、鍵２に設けられた弾性片押圧部２０が押圧するだけの構成であるから、構造が簡単で、発音信号を出力するためのスイッチ部１４のゴムシート１６に設けられた膨出部１７、およびクリック感を付与するためのスイッチ部１４のゴムシート１６に設けられた弾性片１８などの部品の共通化を図ることができ、これにより部品点数の増加を抑えて組立て作業性の向上を図ることができると共に、低コスト化をも図ることができるほか、クリック感を付与するタイミングと発音信号を出力するタイミングとを合わせ易くすることができ、これにより演奏者が違和感なく良好に演奏することができる。
【００５６】
この場合、弾性片押圧部２０は、鍵２のスイッチ押圧部１３によってスイッチ部１４のゴムシート１６に形成された膨出部１７が押圧されてスイッチ部１４が発音信号を出力する際に、スイッチ部１４のゴムシート１６に形成された弾性片１８を弾性変形させて弾性片１８から離脱するので、弾性片１８の弾性変形によって鍵２にクリック感を確実に且つ良好に付与することができると共に、そのクリック感を付与するタイミングとスイッチ部１４が発音信号を出力するタイミングとを一致させ易くすることができ、これにより演奏者が違和感なく良好に演奏することができる。
【００５７】
また、弾性片押圧部２０は、その下端部がスイッチ基板１２から延出された弾性片１８の先端部の弾性突起１９に対応すると共に、この下端部よりも上側に位置する弾性片押圧部２０の部分が、弾性片１８の先端部の弾性突起１９から弾性片１８と反対側つまり鍵２の前側に向けて離れる形状に形成されていることにより、鍵２が押鍵されて弾性片押圧部２０が押し下げられると、この弾性片押圧部２０が弾性片１８の先端部の弾性突起１９を確実に且つ良好に押し下げて弾性変形させることができる。
【００５８】
また、この弾性片押圧部２０は、弾性片１８の先端部の弾性突起１９を乗り越えて、弾性片１８が弾性復帰する際に、弾性片１８の先端部の弾性突起１９が弾性片押圧部２０の下端部よりも上側に位置する弾性片押圧部２０の部分に干渉することがないので、鍵荷重を急激に軽くして、鍵荷重が抜ける感覚のクリック感を鍵２に確実に且つ良好に付与することができる。
【００５９】
すなわち、この弾性片押圧部２０は、その下端部に弾性片１８の先端部の弾性突起１９を押し下げる当接突起２１が形成されていると共に、この当接突起２１に弾性片１８の先端側に向けて上側から下側に傾斜する当接傾斜面２１ａが形成され、当接突起２１よりも上側に位置する弾性片押圧部２０の部分には、弾性片１８の先端部の弾性突起１９から離れる凹形状の円弧状に湾曲する湾曲部２０ａが形成されていることにより、弾性片押圧部２０の当接傾斜面２１ａが弾性片１８の先端部の弾性突起１９を斜めに押圧して、弾性片１８を良好に弾性変形させることができる。
【００６０】
このため、弾性片押圧部２０の当接傾斜面２１ａが弾性片１８の先端部の弾性突起１９を円滑に且つ良好に乗り越えることができると共に、弾性片押圧部２０の当接傾斜面２１ａが弾性片１８の先端部の弾性突起１９を乗り越えて、弾性片１８が元の状態に弾性復帰する際には、弾性片１８の先端部の弾性突起１９が弾性片押圧部２０の湾曲部２０ａに干渉することがないので、弾性片１８の先端部の弾性突起１９を円滑に且つ良好に元の状態に弾性復帰させることができる。
【００６１】
また、弾性片１８は、その先端部に弾性片押圧部２０の当接突起２１が当接する弾性突起１９が形成されていると共に、この弾性突起１９に弾性片１８の先端側に向けて上側から下側に傾斜して当接突起２１の当接傾斜面２１ａに対応する弾性傾斜面１９ａが形成されていることにより、鍵２が押鍵されて弾性片押圧部２０が押し下げられると、この弾性片押圧部２０の当接突起２１の当接傾斜面２１ａが、弾性片１８の弾性突起１９の弾性傾斜面１９ａに当接して摺動しながら、弾性片１８の弾性突起１９を円滑に且つ良好に押し下げることができる。
【００６２】
このため、弾性片押圧部２０における当接突起２１の当接傾斜面２１ａが弾性片１８を弾性変形させて、弾性片１８の弾性突起１９を円滑に且つ良好に乗り越えることができると共に、鍵荷重が抜ける感覚のクリック感を鍵２に良好に付与することができ、また当接突起２１の当接傾斜面２１ａが弾性片１８の弾性突起１９を乗り越えると、弾性片１８を元の状態に円滑に弾性復帰させることができる。
【００６３】
さらに、この電子鍵盤楽器では、鍵盤シャーシ１に、スイッチ基板１２から鍵２の前側に延出された弾性片１８の下面における一部であるほぼ中間部を下側から支持する支点部２２が設けられているので、押鍵操作された鍵２の弾性片押圧部２０がスイッチ部１４の弾性片１８の先端部の弾性突起１９を押し下げて、弾性片１８を弾性変形させる際に、支点部２２を中心に弾性片１８を弾性変形させることができ、これにより鍵２に対する弾性片１８の反発力を高めることができる。
【００６４】
このため、弾性片１８の反発力によって鍵２に対する鍵荷重を、より一層、重くすることができるので、鍵荷重が抜ける感覚のクリック感を強く表現することができると共に、鍵２の弾性片押圧部２０がスイッチ部１４の弾性片１８を弾性変形させて乗り越えた際に、弾性片１８を速やかに弾性復帰させることができる。この場合、支点部２２は、スイッチ基板１２から鍵２の前側に延出された弾性片１８の下面に当接する位置を鍵２の前後方向にずらすことにより、弾性片１８の反発力を調整することができ、これにより鍵荷重が抜ける感覚のクリック感を調整することができる。
【００６５】
また、この支点部２２は、押鍵された鍵２が初期位置に戻る際に、鍵２の弾性片押圧部２０の当接突起２１が上方に移動して弾性片１８の弾性突起１９をすり抜けるが、弾性片押圧部２０の当接突起２１が弾性片１８の弾性突起１９に接触し、弾性片押圧部２０の当接突起２１によって弾性片１８の弾性突起１９が引き上げることがある。このときには、支点部２２は、弾性片１８の支点として機能しない。
【００６６】
このため、弾性片１８は、その支点が支点部２２から、弾性片１８におけるスイッチ基板１２の端部に位置する復帰支点２３に切り替わる。これにより、弾性片１は、その弾性突起１９から復帰支点２３までの距離が長くなるので、弾性片押圧部２０の当接突起２１によって弾性片１８の弾性突起１９が引き上げることがあっても、弾性片１８を容易に弾性変形させることができる。
【００６７】
なお、上述した実施形態では、ゴムシート１６の弾性片１８をスイッチ基板１２から鍵２の前側に向けて延出した場合について述べたが、これに限らず、弾性片１８をスイッチ基板１２から鍵２の後側に向けて延出した構成であっても良い。この場合には、鍵２の弾性片押圧部２０をスイッチ押圧部１３の後部側に一体に形成すれば良い。
【００６８】
また、上述した実施形態では、鍵２の弾性片押圧部２０をスイッチ押圧部１３に一体に形成した場合について述べたが、必ずしも弾性片押圧部をスイッチ押圧部１３に一体に形成する必要はなく、弾性片押圧部を鍵２の所定箇所に一体に形成した構成であっても良い。この場合にも、弾性片押圧部は、鍵２のスイッチ押圧部１３によってスイッチ部１４の膨出部１４が押圧されてスイッチ部１４が発音信号を出力する際に、弾性片１８を弾性変形させて弾性片１８から離脱するように、スイッチ押圧部１３の下面よりも下側に予め定められた長さで突出して形成されていれば良い。
【００６９】
さらに、この発明の鍵盤装置は、上述した実施形態に限らず、鍵盤シャーシ１に複数のハンマー部材を各鍵２に対応させた状態で上下方向に回転可能に設け、鍵２の押鍵操作に応じてハンマー部材を回転させて鍵２にアクション荷重を付与する構成のものにも適用することができる。
【符号の説明】
【００７０】
１  鍵盤シャーシ
２  鍵
３  屈曲部
４  共通連結部
５  鍵支持部
１１  スイッチ部材
１２  スイッチ基板
１３  スイッチ押圧部
１４  スイッチ部
１５  基板支持部
１６  ゴムシート
１７  ドーム状の膨出部
１８  弾性片
１９  弾性突起
１９ａ  弾性傾斜面
２０  弾性片押圧部
２０ａ  湾曲部
２１  当接突起
２１ａ  当接傾斜面
２２  支点部
２３  復帰支点
【図１】
0005488902.tif 000002
【図２】
0005488902.tif 000003
【図３】
0005488902.tif 000004
【図４】
0005488902.tif 000005
【図５】
0005488902.tif 000006
【図６】
0005488902.tif 000007
【図７】
0005488902.tif 000008
【図８】
0005488902.tif 000009
【図９】
0005488902.tif 000010